(57)【要約】【課題】編纂、制作が簡単で内容が豊富で友人、知人等の心情に触れられるウェディングアルバムを実現する一方、このアルバムに盛られた信頼性の高い人的情報により人々の出会いの機会を高める。【解決手段】複数葉のカードを綴じ合わせてウェディングアルバムを作成するようにしたカードセットであって、前記複数葉のカードは新郎・新婦の婚姻に関する情報記載欄を具えたカード、新郎新婦の相互の感情表白欄を具えたカード、新郎・新婦の婚姻に関する事実又は感想・抱負の記載欄を具えたカード、新郎・新婦の友人等のパーソナルデータ記載欄を具えたカード、前記パーソナルデータ記載欄に係る友人等の写真貼付欄を具えたカード、祝賀メッセージ、新郎・新婦に関する質問事項、回答欄等を具えたカード、前記パーソナルデータ記載欄に係る友人の作製による新郎・新婦の似顔絵描出欄を具えたカードとで構成する。【選択図】    図１
2004188779.tif 000002
【特許請求の範囲】
【請求項１】
記入すべき事項を予め記載した複数葉のカードに所定事項記載後にカードを綴じ合わせるようにしてウェディングアルバムを作成できるようにしたカードセットであって、  前記カードは婚姻当事者である新郎又は新婦の当該婚姻に関する情報記載欄を具えたカードと、新郎又は新婦の相手方に関する感情表白欄を具えたカードと、新郎又は新婦の当該婚姻に関する事実又は感想・抱負の記載欄を具えたカードと、新郎又は新婦の友人その他関係者のパーソナルデータ記載欄を具えたカードと、前記パーソナルデータ記載欄に係る友人等の写真貼付欄を具えたカードと、祝賀メッセージ、新郎又は新婦に関する質問事項および回答欄を具えたカードと、前記パーソナルデータ記載欄に係る友人の作製による新郎又は新婦の似顔絵描出欄を具えたカードと、により構成したことを特徴とするウェディングアルバム用カードセット。
【請求項２】
請求項１記載のウェディングアルバム用カードセットにおいて、新郎又は新婦の当該婚姻に関する情報記載欄を具えたカードはプロポーズの表現内容、その日時、場所、天候、その他の婚姻申し出に関する事実の記載欄と婚姻決定に関しての感想表白欄を有し、新郎又は新婦の相手方に関する感情表白欄を具えたカードは各相手方に対する手紙欄を有し、新郎又は新婦の当該婚姻に関する事実又は感想・抱負の記載欄を具えたカードはチェックマークにより選択できるようにした婚姻生活のスタートにあたっての複数の宣明事項と感想・抱負記載欄とを有し、新郎又は新婦の友人その他関係者のパーソナルデータ記載欄を具えたカードは氏名、住所、電話番号、生年月日、趣味、特技、新郎又は新婦との関係、異性との出会いの要否、好ましい異性像の記入欄を有してなることを特徴とするウェディングアルバム用カードセット。
【請求項３】
請求項２記載のウェディングアルバム用カードセットにおいて、新郎又は新婦に関する質問事項および回答欄を具えたカードにおける質問事項は、新郎又は新婦の性格、外見に関する事項、新郎又は新婦に対する要望事項、新郎又は新婦に関する評価事項、新郎又は新婦に関する比喩事項、新郎又は新婦と回答者との間の特記事項からなることを特徴とするウェディングアルバム用カードセット。
【発明の詳細な説明】
【０００１】
【発明の属する技術分野】
本願発明は、複数のカードを綴じ合わせてウェディングアルバムを作製できるようにしたカードセットに関し、詳しくは婚姻に関する当事者およびこの婚姻を祝賀する関係者の事実情報、感想表白その他を容易に記載表現できるカードからなり、カードの綴じ合わせにより、その婚姻とこれを囲む人間模様を多彩な角度から記録できるようにしたカードセットに関するものである。
【０００２】
【発明の背景】
結婚あるいは結婚式の記録としては、従来、スチール写真集である記念アルバム、動画記録であるビデオ等が一般的である。特に、記念アルバムは結婚式や結婚披露宴への出席者による寄せ書き集が添えられることが多く、結婚式という行事を永く記録するものとして最も親しまれている。  また、結婚披露宴の招待者は、通常、披露宴への出席時に祝い金を持参して新郎、新婦に祝意を呈することが多いが、新郎、新婦の親しい友人などは、祝い金とは別にあるいは祝い金に代えて記念品を事前に共同贈呈して新しい門出を慶賀することも一般的である。
祝い金にしろ記念品にしろ、広い意味のプレゼントの意味を有している。
【０００３】
アルバム、寄せ書き等の記録集、あるいは友人や知人が結婚に際して寄せるお祝い等の慣習は、結婚というエポックメーキングな人生模様のひとつを彩るものとして広く永く存在意義を有している。
しかしながら、多くの人は、自己の親しい友の結婚にあたり、従来のような寄せ書きや祝い金のみでは友に対する語りかけとしてあるいは気持ちの表現としてなにかしら十全でない何かを感じることが多いのも事実である。
また、結婚当事者にしても、過ぎ行く日々への別れに際してアルバムや寄せ書き等に披瀝されている友人らのコメント等は余りに短く、簡素であって華やぎの中にあって安堵感、不安、はては、いささかの後悔を感じていなくもない当事者に物足りない。
【０００４】
【発明の概要】
本願発明は、上記背景に鑑みてなされたもので、記入すべき事項を予め記載した複数葉のカードに所定事項記載後にカードを綴じ合わせるようにしてウェディングアルバムを作成するようにしたカードセットにおいて、  前記複数葉のカードは婚姻当事者である新郎又は新婦の当該婚姻に関する情報記載欄を具えたカードと、新郎又は新婦の相手方に関する感情表白欄を具えたカードと、新郎又は新婦の当該婚姻に関する事実又は感想・抱負の記載欄を具えたカードと、新郎又は新婦の友人その他関係者のパーソナルデータ記載欄を具えたカードと、前記パーソナルデータ記載欄に係る友人等の写真貼付欄を具えたカードと、祝賀メッセージ、新郎又は新婦に関する質問事項および回答欄を具えたカードと、前記パーソナルデータ記載欄に係る友人の作製による新郎又は新婦の似顔絵描出欄を具えたカードと、により構成することで、前記各カードの簡単な綴じ合わせにより、結婚当事者もこれを祝う側も互いの心情を鮮やかに記録されたウェディングアルバムを実現する。
【０００５】
上記のウェディングアルバム用カードセットにおいて、新郎又は新婦の当該婚姻に関する情報記載欄を具えたカードはプロポーズの表現内容、その日時、場所、天候、その他の婚姻申し出に関する事実の記載欄と婚姻決定に関しての感想表白欄を有し、新郎又は新婦の相手方に関する感情表白欄を具えたカードは各相手方に対する手紙欄を有し、新郎又は新婦の当該婚姻に関する事実又は感想・抱負の記載欄を具えたカードはチェックマークにより選択できるようにした婚姻生活のスタートにあたっての複数の宣明事項と感想・抱負記載欄とを有し、新郎又は新婦の友人その他関係者のパーソナルデータ記載欄を具えたカードは氏名、住所、電話番号、生年月日、趣味、特技、新郎又は新婦との関係、異性との出会いの要否、好ましい異性像の記入欄を有して構成することがある。
【０００６】
また、上記のウェディングアルバム用カードセットにおいて、新郎又は新婦に関する質問事項および回答欄を具えたカードにおける質問事項は、新郎又は新婦の性格、外見に関する事項、新郎又は新婦に対する要望事項、新郎又は新婦に関する評価事項、新郎又は新婦に関する比喩事項、新郎又は新婦と回答者との間の特記事項から構成することがある。
【０００７】
【発明の実施形態】
以下、本願発明の実施形態を説明する。図１は、本願発明の１実施形態に係る婚姻当事者である新郎又は新婦の当該婚姻に関する情報記載欄を具えたカードの正面図であり、はがき大のカード１には、プロポーズの日時記入欄２、天候のチェック欄３、プロポーズの場所のチェック欄４、プロポーズの事実に関する感想表白欄５を有している。図に示すように、プロポーズの日時記入欄２は予め、年月日、
時刻につき数字のみを記入するようになっている。
また天候チェック欄３には、晴れ、曇り、雨等の天候を表すマークが表記されていて記入者は該当欄にチェックするように形成されている。プロポーズの場所のチェック欄４も、場所に関する例示がなされていて記入者は該当欄があればチェックをなし、無ければ具体的に記入する欄が設けられている。また、プロポーズの事実に関する感情表白欄５は、この実施形態では「その時の気持ちを新聞の見出しにするとしたら、どんなタイトルですか？」の表題が付されているが、感想を表白できる欄があれば前記のような表題に制限されることはない。さらに、感情表白欄５は別のカードに設け、相手方に対する手紙記載欄により構成しても良い。
【０００８】
図２および図３は、新郎又は新婦の当該婚姻に関する事実又は感想・抱負の記載欄を具えたカードの１実施形態を示す正面図であり、はがき大のカード１には、チェックマークにより選択できるようにした婚姻生活のスタートにあたっての複数の宣明事項と感想・抱負記載欄等とが設けられている。
すなわち図２において、６は結婚を決めるに至った「理由」の記載欄であり、７は婚姻生活のスタートにあたっての複数の宣明事項を列挙した欄であり、それぞれの事項を選択してチェックマークを付すことができる。また、図３において、８は感想・抱負記載欄であり、「これから築いていきたい理想とする家庭」、「結婚して良かったと思うこと」、「一緒に生活していくうえで、これだけは許して欲しいと思う事」、「どんな夫婦と周りから呼ばれたいですか」等の表題が付された記入欄で構成されている。  感想・抱負を記入できる欄が形成されていればその表題は前記事項に制限されないことはもちろんである。
【０００９】
図４は、新郎又は新婦の友人その他関係者のパーソナルデータ記載欄を具えたカードの１実施形態を示す正面図であり、はがき大のカード１には、氏名、住所、電話番号、生年月日、趣味、特技、新郎又は新婦との関係、異性との出会いの要否、好ましい異性像の記入欄等が設けられている。
すなわち図４に示すように、パーソナルデータ記載欄として「氏名」、「住所」、「電話番号」、「メールアドレス」、「職業又は勤務先」、「誕生日」、「血液型」、「星座」、「趣味」、「特技」、「新郎又は新婦との関係」等の表題を有する記入欄が設けられそれぞれ記入できるようになっている。
【００１０】
図５、６は、祝賀メッセージ、新郎又は新婦に関する質問事項および回答欄を具えたカードの１実施形態を示す正面図であり、はがき大のカード１には、新郎又は新婦の性格、外見に関する事項、新郎又は新婦に対する要望事項、新郎又は新婦に関する評価事項、新郎又は新婦に関する比喩事項、新郎又は新婦と回答者との間の特記事項等を記入する欄が設けられている。
すなわち、図５に示すカードには、「お祝いのメッセージをどうぞ」、「性格・外見で好きなところ」、「性格・外見で嫌いなところ」、「これだけは直してほしいと思うこと」、「友達に紹介するとしたら、何と言って紹介する？」、「自分だけが知っていると、思う花嫁（花婿）の意外な一面」、「花嫁（花婿）を色にたとえると」、「花嫁（花婿）を動物にたとえると」、「花嫁（花婿）の前世は何者だたった思うか」、「花嫁（花婿）に感謝していること」、「これから是非チャレンジしてほしいこと」、「自分だけが知っていると思う花嫁（花婿）の秘密」等の表題を付した欄が形成され、それぞれ回答を記入できるようになっている。
【００１１】
図６に示すカードには、「花嫁（花婿）を５段階評価するとしたら」の表題のもとに、「女（男）らしさ」、「愛情」、「思いやり」、「仕事」、「遊び」、「金銭感覚」、「ファッション感覚」、「行動力」、「将来性」等の項目が記載されそれぞれの項目に数字が１−５まで付されていて記入者が数字をマークして評価付けできるようになっている。  また、その他に「花嫁（花婿）の行動で感動・尊敬したこと」、「この機会に謝っておきたいこと」、「花嫁（花婿）にたったひとつお願いするとしたら」、「この機会だからこそ聞いてみたいこと」、「悩んだときに思い出してほしい言葉」等の表題を付した欄が設けられ回答を記入できるようになっている。
【００１２】
また、図示しないが、「ｇａｌｌｅｒｙ」の表記があり、花嫁又は花婿の似顔絵を画くカードも設定され、この似顔絵は前記パーソナルデータの記入当事者が画くようななっている。  さらに、パーソナルデータの記入当事者のスナップ写真を貼付するため「これが私です」の表題が設けられたカードもあり、例えば結婚式に出席した
記入者をポラロイド写真等で撮影して貼付できるようにしている。
【００１３】
本願に係るカードセットの使い方は工夫次第で様々であるが、通常は、結婚披露宴等への招待状とともに、新郎又は新婦の友人その他関係者のパーソナルデータ記載欄を具えたカード、祝賀メッセージ、新郎又は新婦に関する質問事項および回答欄を具えたカード、および前記パーソナルデータ記載欄に係る友人の作製による新郎又は新婦の似顔絵描出欄を具えたカードを招待者個々へ送付して、記入すべき項を埋めてもらい、披露宴当日に回収する。  そして、出席者のスナップ写真を撮影して所定のカードに貼付したうえ、出席者（カード記入者）ごとにこれを合冊する。  この合冊した個々のものをウェディングアルバムと呼んでも良いし、新郎・新婦が事前に必要事項を記入しておいた当該婚姻に関する情報記載欄を具えたカード、同じく事前に記入しておいた新郎又は新婦の相手方に関する感情表白欄を具えたカード、さらに事前に完成しておいた新郎又は新婦の当該婚姻に関する事実又は感想・抱負の記載欄を具えたカード等を、前記合冊に付加したものをウェディングアルバムと呼んでも良い。
このようなアルバムは、単に新郎・新婦が保持するだけでなく、披露宴の場において、出席者に巡回閲覧してもらうことにより、その日の結婚の全体像が新郎、新婦、これを取り巻く人々との関係で鮮やかに浮び上がることになる。
【００１４】
また、このようなウェディングアルバムは、男女の出会いのきっかけ作りにも非常に有効である。  すなわち、前記パーソナルデータ記載欄には相当数の結婚適齢男女が記載されており、記載欄の構成によっては異性との出会いの要否、好ましい異性像の記入欄を有しているから、自分の条件に適応する好みの彼ないしは彼女に関する情報を詳細かつ視覚的に（添付写真により）得ることができる。しかも、このような情報に接する人（情報の提供者でもある）と情報を提供する人（情報に接する人でもある）は、直接の見識が無くても、多くの場合に互いに結婚当事者の友人又は知人の関係にあるから信頼性の見地から極めて良質な情報交換となり得る。  情報をもとに出会いを求める人々の仲介を新郎、新婦がなしても良いし、当事者が直接コンタクトすることも可能である。
【００１５】
本願発明ではその趣旨を結婚を対象にしたが、このような考えかたは、送別会、誕生会、はては葬祭等にも援用可能である。ここで、送別会用のカード内容を例示すると、以下の通りである。
カード１：  送別される本人の記入欄
移動・転勤・退職が決まった日と場所
○  ○○○年○月○日  ○時○分ごろ
天気：
場所：
どちらかに○をつけてください。
自分から／会社都合
その時の気持ちを新聞の見出しにするとしたら、どんなタイトルですか？
送別会を終えて、これからどんな生活をしようと思いましたか？
新しい環境がスタートして、始めて知ったコトは何かありましたか？
【００１６】
カード２：  直属の上司からのラブレター
上司からのラブレター（←上司に書いてもらう。日付とサイン欄あり）
カード３：同僚のデータ欄Ｐｅｒｓｏｎａｌ  ｄａｔａ
氏名
住所
電話
携帯電話
Ｅ−ｍａｉｌ
勤務先
誕生日
血液型
星座
趣味
特技
彼ｏｒ彼女は募集中ですか？    Ｙｅｓ／Ｎｏ
Ｙｅｓと答えたかたに質問です。どんなタイプが好みですか。
幸せに仕事をするために、何かしていることはありますか？
幸せに仕事をするために、何か欲しいモノはありますか？
＊  送別会で撮影する、同僚のポラを貼るスペースあり
【００１７】
カード４：送る側の同僚等のメッセージ欄
贈る言葉・送別のメッセージ
一緒にやった仕事で、最も興奮したこと
仕事を通してあなたから学んだこと
オススメのランチスポット（もう行かないかもしれないケド）
寂しくなった時にオススメのビデオ・音楽・本
一緒にやって良かった仕事
忘れられないあなたの失敗談
これだけは直してもらいたいと思うこと
これから期待していること
新しいニックネームの提案
今後遊びに来た時に買ってきて欲しいお土産
オススメのストレス解消法
机上にあった、私の大切なもの
実は羨ましいと思っていたこと
忘れないでほしいこと
覚えて欲しいオヤジギャグ
死ぬまでにチャレンジしてほしいこと
あなたを５段階評価するとしたら（机の清潔さ  まじめ度  スポーツ  金銭感覚
ファッション  行動力  思いやり  勤勉力  天才的）
あなたの行動で感動・尊敬したこと
どうしても、この機会に謝りたいこと
あなたがこれだけは自信をもってアピールして欲しいこと
（欄外本文）皆さまへの誓い：私に対する中傷・批判・悪口についても、包み隠さずご記入くださいますようお願い申し上げます。また、質問によっては冗談やシャレなどでも結構です。メッセージの内容によって、あなたを恨んだり、嫌がらせ、ストーカー等の行為や発言は一切ひかえることをここで誓います。今後とも宜しく、ご指導・ご鞭撻お願い申し上げます。
【００１８】
カード５：  似顔絵描画欄
＊  似顔絵記憶だけを頼りに、似顔絵を描いてください
＊  ＊描いてくれた人のサイン欄あり
【００１９】
【発明の効果】
本願発明は以上説明した構成作用により、結婚式当日に招待客から回収したカードを合冊するだけで、新郎・新婦に対する多角的で真摯かつ貴重な内容のメッセージに満ちた記念アルバムを得ることができ、新郎・新婦にとっては普段は目に見えないが常に自分たち取り囲む友人、知人の群像を改めて目にすることができる。
【図面の簡単な説明】
【図１】本願発明の１実施形態に係る婚姻当事者である新郎又は新婦の当該婚姻に関する情報記載欄を具えたカードの正面図である。
【図２】新郎又は新婦の当該婚姻に関する事実又は感想・抱負の記載欄を具えたカードの１実施形態を示す正面図である。
【図３】新郎又は新婦の当該婚姻に関する事実又は感想・抱負の記載欄を具えたカードの１実施形態を示す正面図である。
【図４】新郎又は新婦の友人その他関係者のパーソナルデータ記載欄を具えたカードの１実施形態を示す正面図である。
【図５】祝賀メッセージ、新郎又は新婦に関する質問事項および回答欄を具えたカードの１実施形態を示す正面図である。
【図６】祝賀メッセージ、新郎又は新婦に関する質問事項および回答欄を具えたカードの１実施形態を示す正面図である。
【図１】
2004188779.tif 000003
【図２】
2004188779.tif 000004
【図３】
2004188779.tif 000005
【図４】
2004188779.tif 000006
【図５】
2004188779.tif 000007
【図６】
2004188779.tif 000008